(57)【要約】      （修正有）【課題】足裏の角質を確実に除去することができ、接合部等から角質除去材が漏出したり、使用者に違和感を与えたりすることのない角質除去パックを提供する。【解決手段】人間の足を収容可能なようにブーツ型に形成される袋体２と、袋体２の内面に沿って設けられ、角質除去剤を吸収可能な吸収体３とを備えた角質除去パック１であって、袋体２に収容された人間の足裏に接触可能な底面部と、底面部の外周部から上方に立ち上がる左右側面部５等とを設けて該角質除去パックを構成する。【選択図】図１
0003153595.tif 000002
【実用新案登録請求の範囲】
【請求項１】
人間の足を収容可能なようにブーツ型に形成される袋体と、該袋体の内面に沿って設けられ、角質除去剤を吸収可能な吸収体とを備えた角質除去パックであって、
前記袋体に収容された人間の足裏に接触可能な底面部と、
該底面部の外周部から上方に立ち上がる左右側面部と、
を備えていることを特徴とする角質除去パック。
【請求項２】
前記底面部の中央には該底面部を内側に折り畳み可能なように折り目が設けられている請求項１に記載の角質除去パック。
【請求項３】
前記底面部の爪先部分及び踵部分の各外周縁部と前記左右側面部の外周縁部、及び前記左右側面部の外周縁部同士がそれぞれ接合されている請求項１又は２に記載の角質除去パック。
【考案の詳細な説明】
【技術分野】
【０００１】
本考案は、ブーツ型に形成された袋体内に入れた足の古くなった角質層に角質除去剤を浸透させて角質層を剥離させることにより足の角質を除去するための角質除去パックに関するものである。
【背景技術】
【０００２】
一般に、人間の足裏は、他の部分に比べて皮膚の層が厚く、体重や運動など際の圧力や摩擦により皮膚に負担が掛かる程、古い角質が蓄積されやすくなる特性を有しており、この古い角質は足裏に様々なトラブルを引き起こす原因となっている。
【０００３】
そこで、従来、このような足の角質を除去する方法として、例えば、シート材により形成される袋部に予め液状又はゲル状若しくはペースト状の角質除去剤を封入すると共に、袋部の上端側に足を挿入するための開口部を形成したフットケア用パックが提案されている（例えば、特許文献１参照）。
【先行技術文献】
【特許文献】
【０００４】
【特許文献１】実用新案登録第３１４９５１８号公報
【考案の概要】
【考案が解決しようとする課題】
【０００５】
しかしながら、上記した従来のフットケア用パックでは、足袋型にカットした２枚のシート材を平面的に重ね合わせて互いの周囲をヒートシール又は接着等により接合して袋部を形成しているため、使用の際に袋部に足を入れると、足裏がシート材の接合箇所に当たってしまう。そのため、角質除去剤が足裏の角質層に浸透し難く、十分に足裏の角質を除去できないといった問題や、接合箇所に過大な圧力が掛かり、接合箇所が破れて角質除去材が外部に漏出するといった問題や、丈が短いために上端部の開口部から角質除去剤が外部に漏出するといった問題や、使用者が足裏に違和感を覚えるといった問題などがあった。
【０００６】
本考案は、上記した課題を解決すべくなされたものであり、足裏の角質を確実に除去することができ、接合部や上端部の開口部から角質除去材が外部に漏出したり、使用者に違和感を与えたりすることのない角質除去パックを提供することを目的とするものである。
【課題を解決するための手段】
【０００７】
上記した目的を達成するため、本考案は、人間の足を収容可能なようにブーツ型に形成される袋体と、該袋体の内面に沿って設けられ、角質除去剤を吸収可能な吸収体とを備えた角質除去パックであって、前記袋体に収容された人間の足裏に接触可能な底面部と、該底面部の外周部から上方に立ち上がる左右側面部とを備えていることを特徴とする。
【０００８】
そして、本考案に係る角質除去パックにおいて、前記底面部の中央には該底面部を内側に折り畳み可能なように折り目が設けられているのが好ましい。
【０００９】
また、本考案に係る角質除去パックにおいて、前記底面部の爪先部分及び踵部分の各外周縁部と前記左右側面部の外周縁部、及び前記左右側面部の外周縁部同士がそれぞれ接合されているのが好ましい。
【考案の効果】
【００１０】
本考案によれば、足裏の角質を確実に除去することができ、接合部や上端部の開口部から角質除去材が外部に漏出したり、使用者に違和感を与えたりすることのない角質除去パックを提供することができる。
【図面の簡単な説明】
【００１１】
【図１】本考案の実施の形態に係る角質除去パックを折り畳んだ状態を示す側面図である。
【図２】本考案の実施の形態に係る角質除去パックの底面部を示す図である。
【図３】本考案の実施の形態に係る角質除去パックを使用している時の状態を示す側面図である。
【図４】本考案の実施の形態に係る角質除去パックを使用している時の状態を示す平面図である。
【図５】本考案の実施の形態に係る角質除去パックを使用している時の状態を示す底面図である。
【考案を実施するための形態】
【００１２】
以下、図面を参照しつつ、本考案の実施の形態について説明する。ここで、図１は本考案の実施の形態に係る角質除去パックを折り畳んだ状態を示す側面図、図２は同角質除去パックの底面部を示す図、図３は同角質除去パックを使用している時の状態を示す側面図、図４は同角質除去パックを使用している時の状態を示す平面図、図５は同角質除去パックを使用している時の状態を示す底面図である。
【００１３】
本考案の実施の形態に係る角質除去パック１は、袋体２と、袋体２の内面に沿って設けられる吸収体３と、吸収体３に吸収されて保持される角質除去剤（図示省略）とを備えて構成されている。
【００１４】
袋体２は、例えばポリエチレン製の透明なシートにより人間の足を収容可能なようにブーツ型に形成されており、袋体２に収容された人間の足裏に接触可能な底面部４と、底面部４の外周部から上方に立ち上がる左右側面部５，６と、左右側面部５，６の上端部に形成される開口部７とを備えている。
【００１５】
底面部４の中央には底面部４を内側に折り畳み可能なように谷折り目８が形成され、谷折り目８の両側にはそれぞれ外側に折り畳み可能なように山折り目９，１０が形成され、山折り目９，１０はそれぞれ底面部４と左右側面部５，６の境界線を形成している。
【００１６】
底面部４の爪先部分４ａ及び踵部分４ｂの各外周縁部と左右側面部５，６の外周縁部、及び左右側面部５，６の外周縁部同士は、それぞれ接着等により接合されており、接合部１１が形成されている。
【００１７】
吸収体３は、例えば不織布等の吸収性を有する材質により形成され、袋体２の内面側で、谷折り目８、山折り目９，１０、接合部１１、及び袋体２の上方部分に水平に設けられた固定部１２にそれぞれ固定されており、袋体２に収容された足の足裏及び甲を覆うことができるようになっている。
【００１８】
前記角質除去剤は、フルーツ酸（アルファヒドロキシ酸の総称）を主成分とし、保湿・収斂効果の高い植物エキス（例えば、オレンジ油、リンゴ酸、セージエキス、クレマティスエキス、レモンエキス、チャエキス、スギナエキス、オランダカラシエキス、褐草エキス、サボンソウエキス、ゴボウエキス、シモツケソウエキス、セイヨウキズタエキス）が配合されたゲル状のものである。
【００１９】
上記した構成を備えた角質除去パック１を使用する場合、先ず、開口部７から袋体２の内部に足を入れ、約２時間放置する。袋体２には底面部４が形成されているため、この間に足裏が吸収体３に確実に接触するため、吸収体３に吸収されている角質除去剤が足の古くなった角質層に十分に浸透する。
【００２０】
次いで、足を袋体２から出し、シャワー等で角質除去剤を洗い流し、放置する。そして、５〜７日経過すると、古い角質が自然に剥がれ出し、約２週間後にはすべての古い角質が剥がれ、スベスベした素足が現われる。
【００２１】
このように、上記した実施の形態に係る角質除去パック１によれば、底面部４が足裏に確実に接触するため、足裏の角質を確実に除去することができる。
【００２２】
また、接合部１１が底面部４の爪先部分４ａ及び踵部分４ｂの各外周縁部と左右側面部５，６の外周縁部、及び左右側面部５，６の外周縁部に形成されており、使用時に接合部１１に無理な力が作用することがないため、接合部１１から角質除去材が外部に漏出することがなく、さらに、ブーツ型に形成されており、丈が長いため、上端部の開口部７から角質除去剤が外部に漏出することもない。これにより、製品の信頼性を高めることができる。
【００２３】
さらに、足裏が接触する部分に接合部がないため、使用者に違和感を与えたりすることもなく、使用勝手の向上を図ることができる。
【符号の説明】
【００２４】
１          角質除去パック
２          袋体
３          吸収体
４          底面部
５          左側面部
６          右側面部
７          開口部
８          折り目
【図１】
0003153595.tif 000003
【図２】
0003153595.tif 000004
【図３】
0003153595.tif 000005
【図４】
0003153595.tif 000006
【図５】
0003153595.tif 000007